(57)【要約】      （修正有）【課題】指の第一間接を曲げない様に剛体シンブルを第一間接部の上位置迄伸ばし、使用者の指を保護して使い易いシンブルの提供。【解決手段】使用者が第１指関節位置で指をほぼまっすぐに維持するのを助けるように第１指関節位置の上まで伸びたシンブルであって、指の先端と第１指関節位置に隣接または通過した位置との間に、１つまたは複数の窪みを含む針接触面を有するシンブルで、第一間接か１５度又は２５度を超えて曲がらない様に構成した針のスリップを防止したシンプル。【選択図】図１
2004160225.tif 000002
【特許請求の範囲】
【請求項１】
使用者が第１指関節位置でほぼまっすぐな指を維持するのを助けるように、第１指関節位置の上まで伸びるように構成された実質的に剛体のシンブルであって、指の先端と第１指関節位置に隣接または通過した位置との間に１つまたは複数の窪みを含む針接触面を有するシンブル。
【請求項２】
第１指関節の上に精密押込嵌合を形成して実質的な曲がりに対して第１指関節を固定するように、使用者の第１指関節位置の上まで伸びるように構成された実質的に剛体のシンブルであって、指の先端と第１指関節位置に隣接または通過した位置との間に１つまたは複数の窪みを含む針接触面を有するシンブル。
【請求項３】
両方の端が開かれ、指の先端が覆われない、請求項１に記載のシンブル。
【請求項４】
針接触面に複数の窪みを有し、窪みは指の先端に隣接した位置と第１指関節に隣接した位置との間に存在する、請求項１に記載のシンブル。
【請求項５】
開かれた端を有し、長さが２０〜４５ｍｍである、請求項１に記載のシンブル。
【請求項６】
開かれた端を有し、長さが２５〜４５ｍｍである、請求項１に記載のシンブル。
【請求項７】
シンブルの前面の内側がほぼ平たくされ、シンブルを指に固定して指の周りで回転しないようにした、請求項１に記載のシンブル。
【請求項８】
シンブルの１つまたは複数の内面がほぼ平たくされ、シンブルを指に固定して指の周りで回転しないようにした、請求項１に記載のシンブル。
【請求項９】
指の先端へ向かうにつれて、長さ方向に沿って内側へ先細りとなる、請求項１に記載のシンブル。
【請求項１０】
請求項１に記載のシンブルを固定具として使用するキルト作成方法であって、針を押すために使用されるシンブルを付ける指の第１指関節位置が確実に２５度を超えては曲がらないようにした方法。
【請求項１１】
請求項１に記載のシンブルを固定具として使用するキルト作成方法であって、針を押すために使用されるシンブル支持指の第１指関節位置が確実に１５度を超えては曲がらないようにした方法。
【請求項１２】
請求項１に記載のシンブルを使用するキルト作成方法であって、キルトに多数のステッチを行なう、長い針の使用を容易にする方法。
【発明の詳細な説明】
【技術分野】
【０００１】
本発明は、シンブルに関し、具体的には、使用者の指に沿って第１指関節越しに伸びるシンブルであって、第１指関節の両側にある、指の最初の２つの骨を相対的に同一直線に維持することを助けるシンブルに関する。
【背景技術】
【０００２】
長年、シンブルは、指が針に力を加えているとき、針の使用者が針によって指の前面を傷つけられることなく、生地へ針を連続的に通すことを助けるために使用されてきた。通常、シンブルは、円錐台の形状を有し、端が閉ざされ、第１指関節までは伸びておらず、必ず第１指関節の位置を通り過ぎることはない。通常、シンブルは指の先端のみを覆って、指の正常な運動および第１指関節の周りで、指を曲げることを容易にしている。通常、シンブルは窪みを設けられ、それによって針の先端が保持され、針がシンブルの表面に沿って滑らないようにする。
【発明の開示】
【発明が解決しようとする課題】
【０００３】
最近、異なった針作業の手法が推奨されており、特に、そのような手法の１つは、針を押すために使用されている指を、第１指関節位置で、できるだけまっすぐに維持することを必要とする。そのような方法を使用すれば、より大きな力を加えることができ、他の利点も多くなる。しかし、指の先端に最も近い第１指関節位置で指を曲げないで第２および第３の指関節位置で指を曲げる指運動の制御は、大部分の人にとって困難に感じられる。もし指が第１指関節位置で曲げられ、針を相当の距離だけ押すためにシンブルが使用されるならば、シンブルと針との間の角度は相当に変化し、最終的に、この角度が９０度から遠くずれたとき、針はシンブル内の窪みからシンブルの表面に沿ってスリップし、指は針をそれ以上押すことができなくなり、針の作業者を傷つける可能性があることが理解されよう。
【０００４】
したがって、本発明の目的は、既存のシンブルの前記欠陥の１つまたは複数を回避すること、または少なくとも代替のシンブルを市場に提供することである。
【課題を解決するための手段】
【０００５】
本発明によれば、使用者が第１指関節位置で指をほぼまっすぐに維持するのを助けるように、第１指関節位置の上まで伸びるように構成され、指の先端と第１指関節位置に隣接または通過する位置との間に１つまたは複数の窪みを含む針接触面を有する実質的に固定されたシンブルが提供される。
【０００６】
本発明の他の形態によれば、針を押すために使用されるシンブルを付ける指の第１指関節位置が確実に２５度を超えては曲がらないようにするため、シンブルを固定具として使用するキルト作成方法が開示される。
【０００７】
本発明の他の形態によれば、針を押すために使用されるシンブルを付ける指の第１指関節位置が曲がらず、複数のステッチを負荷される長い針の使用が確実に容易になるように、シンブルを固定具として使用するキルト作成方法が開示される。
【発明を実施するための最良の形態】
【０００８】
今から添付の図面を参照して、本発明の１つの実施形態を説明する。
【０００９】
図１の実施形態によれば、円錐台形のシンブル１が開示される。シンブル１は、その先端２が開いており、また指の挿入を容易にするため、反対の端３も従来のように開いている。
【００１０】
シンブルは、任意適切な材料、たとえばステンレススチールから構成されてよい。シンブルの本体は、従来のシンブルのように剛体である。多数の窪み４がシンブルの前面６に設けられており、針のとがっていない端が保持され、それによりシンブルを介して針の作業者によって制御される様々な位置を提供する。窪み４の数、形状、および方向は、通常の慣行に従って変えられてよく、図示された実施形態で示されるように、必ずしも直線である必要はないことを理解されたい。
【００１１】
本発明のシンブルは、通常のシンブルよりも長く設計され、第１指関節位置を通り過ぎて伸びているので、針がシンブルと係合する長手方向位置の範囲は大きくなる。これは、針を押すために要求される力を変化させるようにシンブルを使用できるので有利である。たとえば、針が厚手の生地または多数の生地の厚さを通るように押される場合、針が大きい場合、または針がとがっていない場合、加えられる機械的倍率が大きくなるように、指の先端から遠い位置で針をシンブルと係合させることが望ましいであろう。逆に、人が強力な指を有する場合、生地が薄く針が鋭い場合には、シンブルの先端に近い窪みを利用することができる。
【００１２】
本発明によるシンブルによって、第１指関節位置がまっすぐに確保されることによるさらなる利点は、長い針の使用が容易になり、そのような長い針は、より多くのステッチを運ぶことができ、それによって作業者の生産性が高くなることである。
【００１３】
図３を参照すると、シンブルの前面６の内側５が平たくされていることが分かるであろう。これは、シンブルを指に固定するのを助けるためであり、それによって、シンブルが指の周りで回転し、窪み４の１つから針が飛び出して針の制御が失われることが防止される。背面の内側も、この目的を助けるために平たくされてよい。
【００１４】
本発明によるシンブルは、図１の２で示されるように端が開かれていることは必須ではない。もっとも、もしシンブルの端が開かれていれば、生産されるシンブルのサイズの数を少なくして、広い範囲の指のサイズに適合させることができることは明らかである。シンブルの円錐台形状と開放端設計とを組み合わせることによって、１つのシンブルが、かなり多様なサイズの指に適合するという寸法決定における利点が生じる。さもなければ第１指関節位置を覆うことを意図される長いシンブルを使用する場合、第１指関節位置まで伸びていない従来のシンブルと比較して、寸法決定を成功するのに困難になることが理解されよう。
【００１５】
平均的な手では、従来のシンブルが、言ってみれば１５〜２５ｍｍであるのに対して、本発明に従った開放端シンブルの長さは約２０〜４５ｍｍであることが想定される。
【００１６】
本発明の代替の実施形態は、本発明の範囲および趣旨から逸脱することなく案出されてよいことが理解されよう。
【図面の簡単な説明】
【００１７】
【図１】本発明によるシンブルの側面図である。
【図２】図１のシンブルのＢ−Ｂ’に沿った縦断面図である。
【図３】図１のシンブルのＡ−Ａ’に沿った横断面図である。
【図１】
2004160225.tif 000003
【図２】
2004160225.tif 000004
【図３】
2004160225.tif 000005